【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
レーザビームを走査し、皮膚上に治療スポットのパターンを形成することによって、皮膚科治療を提供するための手持式デバイスであって、
入力レーザビームを生成するように構成される、レーザ源と、
前記入力レーザビームを繰り返し走査するように構成される、回転式多重セクタ走査要素を含む自動走査システムであって、前記入力レーザビームの各走査は、前記走査要素の複数のセクタに対応する出力レーザビームのアレイを提供し、前記皮膚上に治療スポットの走査列を形成し、
前記回転式多重セクタ走査要素は、前記セクタが、前記入力レーザビームを通して回転するにつれて、前記各セクタが、一定角度方向出力レーザビームを提供するように構成され、
各走査列の前記治療スポットは、非照射皮膚の面積だけ、相互から離間される、
自動走査システムと、
前記デバイスの手動移動の方向に、治療スポットの隣接列間に画定された最小距離を提供するようにプログラムされる、治療スポット制御システムと
を備える、デバイス。
【請求項２】
前記治療スポット制御システムは、
前記皮膚に対する前記デバイスの変位を判定するように構成される、少なくとも１つの変位センサと、
前記皮膚に対して判定された前記デバイスの変位に基づいて、前記デバイスの少なくとも１つの動作パラメータを制御するように構成される、電子機器と
を含む、変位制御システムを備える、請求項１に記載のデバイス。
【請求項３】
前記変位制御システムは、
前記少なくとも１つの変位センサからの信号を分析し、前記皮膚内の皮膚特徴を識別することと、
識別された皮膚特徴の数を計数することと、
前記識別された皮膚特徴の計数された数に基づいて、前記デバイスの１つ以上の動作側面を制御することと
を行うように構成される、請求項２に記載のデバイス。
【請求項４】
前記出力レーザビームは、前記デバイスの印加端から前記皮膚に向かって送達され、
前記送達されたレーザビームは、ＩＥＣ６０８２５−１に準拠するクラス１Ｍ以上の眼の安全分類を満たす、
請求項１に記載のデバイス。
【請求項５】
複数のセンサと、
電子機器であって、
前記複数のセンサから信号を受光することと、
第１の条件を前記受光されたセンサ信号に適用することによって、初期レーザビームパルスを有効にするかどうかを判定することと、
前記初期レーザビームパルスを有効にした後、第２の条件を前記受光されたセンサ信号に適用することによって、付加的レーザビームパルスを有効にするかどうかを判定することであって、前記第２の条件は、前記第１の条件と異なる、ことと
を行うようにプログラムされる、電子機器と
を備える、状況特異的制御システムをさらに備える、請求項１に記載のデバイス。
【請求項６】
前記出力ビームは、前記デバイスの印加端を通して、前記デバイスから送達され、前記印加端は、前記デバイスの動作の間、前記皮膚と接触して載置されるように構成される、先端表面を有し、
前記デバイスの印加端の先端表面によって画定された平面で、各出力ビームは、少なくとも１つの軸において発散する、
請求項１に記載のデバイス。
【請求項７】
前記デバイスの印加端の先端表面によって画定された平面で、各出力ビームは、少なくとも１つの軸において、少なくとも５０ｍｒａｄ発散する、請求項６に記載のデバイス。
【請求項８】
放射線を走査し、前記皮膚上に治療スポットのパターンを形成することによって、皮膚の表面を治療するためのデバイスであって、
放射線源と、
前記放射線源によって生成される入力ビームを受光し、前記受光された入力ビームを走査し、前記皮膚上に治療スポットのパターンを形成する、一連の順次出力ビームを提供するように構成される、回転式走査要素を含む、自動走査システムと
を備え、前記回転式走査要素で受光された入力ビームは、平行化されない、デバイス。
【請求項９】
前記回転式走査要素で受光された入力ビームは、軸非対称ビームプロファイルを有する、請求項８に記載のデバイス。
【請求項１０】
前記回転式走査要素で受光された入力ビームは、第１の軸において発散し、直交する第２の軸において収束する、請求項９に記載のデバイス。
【請求項１１】
前記回転式走査要素で受光された入力ビームは、第１の軸および直交する第２の軸の両方において発散する、請求項９に記載のデバイス。
【請求項１２】
前記回転式走査要素で受光された入力ビームは、第１の軸および直交する第２の軸の両方において収束する、請求項９に記載のデバイス。
【請求項１３】
前記回転式走査要素で受光された入力ビームは、速軸ビームプロファイルおよび遅軸ビームプロファイルを有し、
前記回転式走査要素は、前記速軸ビームプロファイルより有意に前記遅軸ビームプロファイルに影響を及ぼすように構成される、
請求項８に記載のデバイス。
【請求項１４】
前記回転式走査要素で受光された入力ビームは、速軸ビームプロファイルおよび遅軸ビームプロファイルを有し、
前記回転式走査要素は、前記速軸ビームプロファイルに有意に影響を及ぼさずに、前記遅軸ビームプロファイルに有意に影響を及ぼすように構成される、
請求項８に記載のデバイス。
【請求項１５】
皮膚科治療を提供するためのデバイスであって、
デバイス本体と、
皮膚への送達のためのレーザビームパルスを生成し、皮膚科治療を提供するためのレーザと、
状況特異的制御システムであって、
複数のセンサと、
電子機器と
を備え、前記電子機器は、
前記複数のセンサから信号を受光することと、
第１の条件を前記複数のセンサから受光された信号に適用することによって、初期レーザビームパルスを有効にするかどうかを判定することと、
前記初期レーザビームパルスを有効にした後、第２の条件を前記複数のセンサから受光された信号に適用することによって、付加的レーザビームパルスを有効にするかどうかを判定することと
を行うようにプログラムされ、前記第２の条件は、前記第１の条件と異なる、
状況特異的制御システムと
を備える、デバイス。
【請求項１６】
前記第１の条件は、第１の数のセンサからの正の検出を要求し、
前記第２の条件は、第２の数のセンサからの正の検出を要求し、前記第２の数は、前記第１の数より少ない、請求項１５に記載のデバイス。
【請求項１７】
前記第２の条件は、前記第１の条件より厳格ではない、請求項１５に記載のデバイス。
【請求項１８】
前記状況特異的制御システムの電子機器はさらに、
前記複数のセンサから受光された信号が、所定の連続時間周期の間、前記第２の条件を満たさないことを判定することと、
前記判定に応答して、前記第１の条件に基づいて、後続レーザビームパルスを有効にするかどうかを判定することと
を行うようにプログラムされる、請求項１５に記載のデバイス。
【手続補正２】
【補正対象書類名】明細書
【補正対象項目名】００７８
【補正方法】変更
【補正の内容】
【００７８】
別の実施形態では、レーザベースの皮膚科治療デバイスのための制御システムは、選択された治療レベル設定を判定するようにプログラムされる、プロセッサと、選択された治療レベル設定に対応する治療スポットあたりの標的エネルギーを判定するようにプログラムされる、プロセッサと、デバイスのレーザと関連付けられた温度を検出するように構成される、温度センサと、（ａ）治療スポットあたりの判定された標的エネルギーと、（ｂ）検出された温度とに基づいて、パルス持続時間を計算するようにプログラムされる、プロセッサと、走査システムモータのための標的モータスピードを計算し、計算されたパルス持続時間に基づいて、所定の弧経路長を提供するようにプログラムされる、プロセッサと、計算された標的モータスピードに基づいて、走査システムモータに命令するようにプログラムされる、プロセッサと、走査システムモータの実際のモータスピードを測定するように構成される、モータスピードセンサと、実際のモータスピードを標的モータスピードと比較し、モータオフセットを判定するようにプログラムされる、プロセッサと、判定されたモータオフセットに基づいて、フィードバックアルゴリズムを適用するようにプログラムされる、プロセッサと、計算された標的モータスピードに基づいて、パルストリガ遅延を計算するようにプログラムされる、プロセッサと、計算されたパルス持続時間およびパルストリガ遅延に基づいて、レーザの少なくとも１つのパルスを始動するようにプログラムされる、プロセッサとを備える。
本願明細書は、例えば、以下の項目も提供する。
（項目１）
走査レーザビームを走査し、皮膚上に治療スポットのパターンを形成することによって、皮膚科治療を提供するための手持式デバイスであって、
入力レーザビームを生成するように構成される、レーザ源と、
前記入力レーザビームを繰り返し走査するように構成される、回転式多重セクタ走査要素を含む自動走査システムであって、前記入力レーザビームの各走査は、前記走査要素の複数のセクタに対応する出力レーザビームのアレイを提供し、前記皮膚上に治療スポットの走査列を形成し、
前記回転式多重セクタ走査要素は、前記セクタが、前記入力レーザビームを通して回転するにつれて、前記各セクタが、一定角度方向出力レーザビームを提供するように構成され、
各走査列の前記治療スポットは、非照射皮膚の面積だけ、相互から離間される、
自動走査システムと、
前記デバイスの手動移動の方向に、治療スポットの隣接列間に画定された最小距離を提供するようにプログラムされる、治療スポット制御システムと
を備える、デバイス。
（項目２）
前記治療スポット制御システムは、
前記皮膚に対する前記デバイスの変位を判定するように構成される、少なくとも１つの変位センサと、
前記皮膚に対して判定された前記デバイスの変位に基づいて、前記デバイスの少なくとも１つの動作パラメータを制御するように構成される、電子機器と
を含む、変位制御システムを備える、項目１に記載のデバイス。
（項目３）
前記変位制御システムは、
前記少なくとも１つの変位センサからの信号を分析し、前記皮膚内の皮膚特徴を識別することと、
識別された皮膚特徴の数を計数することと、
前記識別された皮膚特徴の計数された数に基づいて、前記デバイスの１つ以上の動作側面を制御することと
を行うように構成される、項目２に記載のデバイス。
（項目４）
前記出力レーザビームは、前記デバイスの印加端から前記皮膚に向かって送達され、
前記送達されたレーザビームは、前記ＩＥＣ６０８２５−１に準拠するクラス１Ｍ以上の眼の安全分類を満たす、
項目１に記載のデバイス。
（項目５）
複数のセンサと、
電子機器であって、
前記複数のセンサから信号を受光することと、
第１の条件を前記受光されたセンサ信号に適用することによって、初期レーザビームパルスを有効にするかどうかを判定することと、
前記初期レーザビームパルスを有効にした後、前記第１の条件と異なる第２の条件を前記受光されたセンサ信号に適用することによって、付加的レーザビームパルスを有効にするかどうかを判定するすることと
を行うようにプログラムされる、電子機器と
を備える、状況特異的制御システムをさらに備える、項目１に記載のデバイス。
（項目６）
前記出力ビームは、前記デバイスの印加端を通して、前記デバイスから送達され、前記印加端は、前記デバイスの動作の間、前記皮膚と接触して載置されるように構成される、先端表面を有し、
前記デバイスの印加端の先端表面によって画定された平面で、各出力ビームは、少なくとも１つの軸において発散する、
項目１に記載のデバイス。
（項目７）
前記デバイスの印加端の先端表面によって画定された平面で、各出力ビームは、少なくとも１つの軸において、少なくとも５０ｍｒａｄ発散する、項目６に記載のデバイス。
（項目８）
皮膚科治療を提供するための内蔵型手持式デバイスであって、
ユーザの手で持たれるように構成される、デバイス本体と、
前記デバイス本体内に支持される、放射線源と、
前記放射線源によって生成された入力ビームを受光し、前記受光された入力ビームを走査し、皮膚への送達のための一連の出力ビームを提供し、前記皮膚上に治療スポットのパターンを形成するように構成される、自動走査システムと、
前記出力ビームが、前記皮膚に送達される、印加端であって、治療セッション中、手動で前記皮膚の表面を横断して移動されるように構成される、印加端と、
変位制御システムであって、
前記皮膚に対する前記デバイスの変位を判定するように構成される、変位センサと、
前記皮膚に対して判定された前記デバイスの変位に基づいて、前記デバイスの少なくとも１つの動作パラメータを制御するように構成される、電子機器と
を含む、変位制御システムと
を備える、デバイス。
（項目９）
少なくとも、前記皮膚に対して判定された前記デバイスの変位に基づいて、前記放射線源の少なくとも１つの動作パラメータを制御するように構成される、電子機器を備える、項目８に記載のデバイス。
（項目１０）
少なくとも、前記皮膚に対して判定された前記デバイスの変位に基づいて、前記放射線源の動作を中断または遅延するように構成される、電子機器を備える、項目９に記載のデバイス。
（項目１１）
少なくとも、前記皮膚に対して判定された前記デバイスの変位に基づいて、前記放射線源のパルス生成を中断または遅延するように構成される、電子機器を備える、項目１０に記載のデバイス。
（項目１２）
少なくとも、前記皮膚に対して判定された前記デバイスの変位に基づいて、前記自動走査システムの少なくとも１つの動作パラメータを制御するように構成される、電子機器を備える、項目８に記載のデバイス。
（項目１３）
前記変位制御システムは、前記皮膚上の場所の過度の治療の可能性を防止あるいは低減させ、および／または治療スポットが相互に重複する可能性を防止あるいは低減させるようにプログラムされる、項目８に記載のデバイス。
（項目１４）
前記自動走査システムは、前記受光された入力ビームを繰り返し走査するように構成され、前記入力ビームの各走査は、前記皮膚への送達のための出力ビームのアレイを作成し、前記皮膚上に治療スポットの対応するアレイを形成し、
前記変位制御システムは、前記デバイスの手動移動の方向に、治療スポットの隣接アレイ間に画定された最小間隔を提供するようにプログラムされる、
項目８に記載のデバイス。
（項目１５）
前記入力ビームの各走査は、前記皮膚への送達のための出力ビームの列を作成し、前記皮膚上に対応する治療スポットの列を形成し、
前記変位制御システムは、前記デバイスの手動移動の方向に、治療スポットの隣接列間に画定された最小間隔を提供するようにプログラムされる、
項目１４に記載のデバイス。
（項目１６）
前記変位制御システムは、
前記変位センサからの信号を分析し、前記皮膚内の皮膚特徴を識別することと、
識別された皮膚特徴の数を計数することと、
前記識別された皮膚特徴の計数された数に基づいて、前記デバイスの１つ以上の動作側面を制御することと
を行うように構成される、項目８に記載のデバイス。
（項目１７）
前記変位制御システムは、前記識別された皮膚特徴の計数された数に基づいて、前記放射線源を制御するように構成される、項目１６に記載のデバイス。
（項目１８）
前記変位制御システムは、前記識別された皮膚特徴の計数された数が、所定の皮膚特徴の最小数に到達する場合のみ、前記放射線源を有効にするように構成される、項目１６に記載のデバイス。
（項目１９）
前記デバイスは、前記デバイスの移動のスピードを検出または判定しない、項目８に記載のデバイス。
（項目２０）
治療セッションのための区切りパラメータの区切り値を判定することと、
前記治療セッション中の前記区切りパラメータを監視することと、
前記区切りパラメータの区切り値に到達すると、自動的に、前記治療セッションを終了させることと
を行うための制御システムをさらに含む、項目８に記載のデバイス。
（項目２１）
前記区切りパラメータは、前記治療セッションのための治療スポットの総数または送達されるエネルギーの総量のいずれかを備える、項目２０に記載のデバイス。
（項目２２）
皮膚科治療を提供するための内蔵型手持式デバイスであって、
ユーザの手で持たれるように構成される、デバイス本体と、
前記デバイス本体内に支持される、放射線源と、
前記放射線源によって生成された入力ビームを受光し、前記受光された入力ビームを走査し、前記皮膚への送達のための一連の出力ビームを提供し、前記皮膚上に、それぞれから離間する、治療スポットのパターンを形成し、部分治療を提供するように構成される、自動走査システムと、
前記出力ビームが、前記皮膚に送達される、印加端であって、治療セッション中、手動で前記皮膚の表面を横断して移動されるように構成される、印加端と、
変位制御システムであって、
前記皮膚に対する前記デバイスの変位を判定するように構成される、変位センサと、
前記皮膚に対して判定された前記デバイスの変位に基づいて、前記デバイスの少なくとも１つの動作パラメータを制御し、治療スポットが相互に重複する可能性を防止または低減させるように構成される、電子機器と
を含む、変位制御システムと
を備える、デバイス。
（項目２３）
少なくとも、前記皮膚に対して判定された前記デバイスの変位に基づいて、前記放射線源の動作を中断または遅延するように構成される、電子機器を備える、項目２２に記載のデバイス。
（項目２４）
前記自動走査システムと関連付けられたモータと、
少なくとも、前記皮膚に対して判定された前記デバイスの変位に基づいて、前記自動走査システムと関連付けられたモータの少なくとも１つの動作側面を制御するように構成される、電子機器と
を備える、項目２２に記載のデバイス。
（項目２５）
前記自動走査システムは、前記受光された入力ビームを繰り返し走査するように構成され、前記入力ビームの各走査は、前記皮膚への送達のための出力ビームの列を作成し、前記皮膚上に対応する治療スポットの列を形成し、
前記変位制御システムは、前記デバイスの手動移動の方向に、治療スポットの隣接列間に画定された最小間隔を提供するようにプログラムされる、
項目２２に記載のデバイス。
（項目２６）
皮膚科治療を提供するための内蔵型手持式デバイスであって、
ユーザの手で持たれるように構成される、デバイス本体と、
前記デバイス本体内に支持される、放射線源と、
前記放射線源によって生成される入力ビームを受光し、前記受光された入力ビームを繰り返し走査し、前記皮膚への送達のための出力ビームの一連の反復走査アレイを提供するように構成された自動走査システムであって、出力ビームの各走査アレイは、前記皮膚上に治療スポットの列を形成する、自動走査システムと、
前記出力ビームが、前記皮膚に送達される、印加端であって、治療セッション中、手動で前記皮膚の表面を横断して移動されるように構成される、印加端と、
変位制御システムであって、
前記皮膚に対する前記デバイスの変位を判定するように構成される、変位センサと、
前記皮膚に対して判定された前記デバイスの変位に基づいて、前記デバイスの少なくとも１つの動作パラメータを制御し、前記皮膚上の治療スポットの隣接列間に画定された最小間隔を提供するように構成される、電子機器と
を含む、変位制御システムと
を備える、デバイス。
（項目２７）
放射線を走査し、前記皮膚上に治療スポットのパターンを形成することによって、皮膚の表面を治療するためのデバイスであって、
入力ビームを生成するように構成される、放射線源と、
前記入力ビームを走査し、前記皮膚上に治療スポットのパターンを形成する、一連の順次反射出力ビームを提供するように構成される、走査システムであって、
複数の反射表面を含む、回転式走査要素であって、前記回転式走査要素が、回転軸を中心として回転するにつれて、入力ビームが、連続して、異なる反射表面によって反射され、一連の順次反射出力ビームを提供するように、それぞれ、前記入力ビームをある角度方向に反射させ、前記反射出力ビームのうちの１つを提供するように構成される、回転式走査要素を含み、
第１の反射表面は、概して、前記回転式走査要素の回転軸に沿ったある方向に、第２の反射表面からオフセットされる、走査システムと
を備える、デバイス。
（項目２８）
前記走査システムは、前記皮膚上に、それぞれから離間する、治療スポットのパターンを形成し、部分治療を提供するように構成される、項目２７に記載のデバイス。
（項目２９）
各反射表面は、平面である、項目２７に記載のデバイス。
（項目３０）
前記第１の反射表面は、第１の平面を画定し、
前記第２の反射表面は、前記第１の平面に平行であって、そこからオフセットされる、第２の平面を画定する、
項目２７に記載のデバイス。
（項目３１）
前記第１の反射表面に入射する入力ビームは、第１の軸において発散し、第２の軸において収束する、項目２７に記載のデバイス。
（項目３２）
前記反射表面は、概して、前記回転式走査要素の階段状構造を画定する、項目２７に記載のデバイス。
（項目３３）
前記放射線源によって生成される放射線は、第１の軸に沿った第１の軸強度プロファイルと、前記第１の軸に垂直な第２の軸に沿った第２の軸強度プロファイルとを有し、
前記デバイスは、
前記第２の軸強度プロファイルより有意に前記放射線の第１の軸強度プロファイルに影響を及ぼすように構成される、第１の光学と、
前記第１の軸強度プロファイルより有意に前記放射線の第２の軸強度プロファイルに影響を及ぼすように構成される、第２の光学と
を含む、項目２７に記載のデバイス。
（項目３４）
前記第１の光学は、前記放射線の第１の軸強度プロファイルに影響を及ぼすが、前記第２の軸強度プロファイルには影響を及ぼさないように構成され、
第２の光学は、前記放射線の第２の軸強度プロファイルに影響を及ぼすが、前記第１の軸強度プロファイルには影響を及ぼさないように構成される、
項目３３に記載のデバイス。
（項目３５）
放射線を走査し、前記皮膚上に治療スポットのパターンを形成することによって、皮膚の表面を治療するためのデバイスであって、
入力ビームを生成するように構成される、放射線源と、
前記入力ビームを走査し、前記皮膚上に治療スポットのパターンを形成する、一連の順次反射出力ビームを提供するように構成される、走査システムであって、
複数の反射表面を含む、回転式走査要素であって、前記回転式走査要素が、回転軸を中心として回転するにつれて、入力ビームが、連続して、異なる反射表面によって反射され、一連の順次反射出力ビームを提供するように、それぞれ、前記入力ビームをある角度方向に反射させ、前記反射出力ビームのうちの１つを提供するように構成される、回転式走査要素を含み、
第１の反射表面は、第１の平面を画定し、第２の反射表面は、前記第１の平面に平行であって、そこからオフセットされる、第２の平面を画定する、走査システムと
を備える、デバイス。
（項目３６）
前記入力ビームは、前記回転式走査要素の特定の回転の持続時間の間、前記第１の反射表面によって反射され、
前記第１の反射表面は、前記入力ビームが、前記第１の反射表面によって反射される持続時間の間、前記回転式走査要素の回転軸に対して反射出力ビームの角度方向が、一定のままであるように構成される、
項目３５に記載のデバイス。
（項目３７）
放射線を走査し、前記皮膚上に治療スポットのパターンを形成することによって、皮膚の表面を治療するためのデバイスであって、
入力ビームを生成するように構成される、放射線源と、
前記入力ビームを走査し、前記皮膚上に治療スポットのパターンを形成する、一連の順次反射出力ビームを提供するように構成される、走査システムであって、
複数の反射表面を含む、回転式走査要素であって、前記回転式走査要素が、回転軸を中心として回転するにつれて、入力ビームが、連続して、異なる反射表面によって反射され、一連の順次反射出力ビームを提供するように、それぞれ、前記入力ビームをある角度方向に反射させ、前記反射出力ビームのうちの１つを提供するように構成される、回転式走査要素を含み、
前記複数の反射表面から伝搬する、一連の順次反射出力ビームは、相互に平行である、走査システムと
を備える、デバイス。
（項目３８）
前記入力ビームは、前記回転式走査要素の特定の回転の持続時間の間、各反射表面によって反射され、
各第１の反射表面は、前記入力ビームが、前記反射表面によって反射される持続時間の間、  前記反射表面によって提供される、反射出力ビームの角度方向が、前記回転式走査要素の回転軸に対して一定のままであるように構成される、
項目３７に記載のデバイス。
（項目３９）
放射線を走査し、前記皮膚上に治療スポットのパターンを形成することによって、皮膚の表面を治療するためのデバイスであって、
入力ビームを生成するように構成される、放射線源と、
前記入力ビームを走査し、前記皮膚上に治療スポットのパターンを形成する、一連の順次反射出力ビームを提供するように構成される、走査システムであって、
回転軸を有し、複数の反射表面を含み、それぞれ、前記入力ビームをある角度方向に反射させ、前記反射出力ビームのうちの１つを提供するように構成される、回転式走査要素を含み、
前記放射線源から前記反射表面の第１の表面までの前記入力ビームの第１の進行距離は、前記放射線源から前記反射表面の第２の表面までの前記入力ビームの第２の進行距離と異なる、走査システムと、
前記放射線源から前記第１の反射表面までの前記入力ビームの第１の進行距離と、前記放射線源から前記第２の反射表面までの前記入力ビームの第２の進行距離との間の差異を補償するように構成される、距離補償光学と
を備え、前記第１の反射表面および前記距離補償光学を介した、前記放射線源から前記皮膚までの放射線の第１の総経路長は、前記第２の反射表面および前記距離補償光学を介した、前記放射線源から前記皮膚までの放射線の第２の総進行距離と等しい、デバイス。
（項目４０）
放射線を走査し、前記皮膚上に治療スポットのパターンを形成することによって、皮膚の表面を治療するためのデバイスであって、
放射線源によって生成された入力ビームを受光し、前記受光された入力ビームを走査し、前記皮膚上に治療スポットのパターンを形成する、一連の順次出力ビームを提供するように構成される、自動走査システムであって、回転軸を中心として回転するように構成される、略カップ形状の走査要素を含む、自動走査システムを備える、デバイス。
（項目４１）
前記自動走査システムは、前記皮膚上に、それぞれから離間する、治療スポットのパターンを形成し、部分治療を提供するように構成される、項目４０に記載のデバイス。
（項目４２）
前記カップ形状の走査要素は、前記回転軸の周囲に配列される、複数の小型レンズを含み、各小型レンズは、前記回転式走査要素が、前記回転軸を中心として回転するように、前記出力ビームのうちの１つを提供するように構成され、前記入力ビームは、連続して、異なる小型レンズ表面によって反射され、前記一連の順次出力ビームを提供する、項目４０に記載のデバイス。
（項目４３）
前記小型レンズは、異なる小型レンズによって提供される出力ビームが、相互に角度オフセットされるように構成される、項目４２に記載のデバイス。
（項目４４）
少なくとも１つの小型レンズは、トロイド形状を有する、項目４２に記載のデバイス。
（項目４５）
放射線を走査し、前記皮膚上に治療スポットのパターンを形成することによって、皮膚の表面を治療するためのデバイスであって、
放射線源によって生成される入力ビームを受光し、前記受光された入力ビームを走査し、前記皮膚上に治療スポットのパターンを形成する、一連の順次出力ビームを提供するように構成される、自動走査システムであって、回転軸を中心として回転するように構成される、走査要素を含む、自動走査システムを備え、
前記回転軸は、非ゼロおよび非９０度である、オフセット角度だけ、前記受光された入力ビームの伝搬軸から角度オフセットされる、デバイス。
（項目４６）
前記回転式走査要素の回転軸と前記受光された入力ビームの伝搬軸との間のオフセット角度は、１０〜８０度である、項目４５に記載のデバイス。
（項目４７）
前記回転式走査要素の回転軸と前記受光された入力ビームの伝搬軸との間のオフセット角度は、３０〜６０度である、項目４５に記載のデバイス。
（項目４８）
前記回転式走査要素は、略カップ形状である、項目４５に記載のデバイス。
（項目４９）
放射線を走査し、前記皮膚上に治療スポットのパターンを形成することによって、皮膚の表面を治療するためのデバイスであって、
放射線源と、
前記放射線源によって生成される入力ビームを受光し、前記受光された入力ビームを走査し、前記皮膚上に治療スポットのパターンを形成する、一連の順次出力ビームを提供するように構成される、回転式走査要素を含む、自動走査システムと、
を備え、前記回転式走査要素で受光された入力ビームは、平行化されない、デバイス。
（項目５０）
前記回転式走査要素で受光された入力ビームは、軸非対称ビームプロファイルを有する、項目４９に記載のデバイス。
（項目５１）
前記回転式走査要素で受光された入力ビームは、第１の軸において発散し、直交する第２の軸において収束する、項目５０に記載のデバイス。
（項目５２）
前記回転式走査要素で受光された入力ビームは、第１の軸および直交する第２の軸の両方において発散する、項目５０に記載のデバイス。
（項目５３）
前記回転式走査要素で受光された入力ビームは、第１の軸および直交する第２の軸の両方において収束する、項目５０に記載のデバイス。
（項目５４）
前記回転式走査要素で受光された入力ビームは、速軸ビームプロファイルおよび遅軸ビームプロファイルを有し、
前記回転式走査要素は、前記速軸ビームプロファイルより有意に前記遅軸ビームプロファイルに影響を及ぼすように構成される、
項目４９に記載のデバイス。
（項目５５）
前記回転式走査要素で受光された入力ビームは、速軸ビームプロファイルおよび遅軸ビームプロファイルを有し、
前記回転式走査要素は、前記速軸ビームプロファイルに有意に影響を及ぼさずに、前記遅軸ビームプロファイルに有意に影響を及ぼすように構成される、
項目４９に記載のデバイス。
（項目５６）
放射線を走査し、前記皮膚上に治療スポットのパターンを形成することによって、皮膚の表面を治療するためのデバイスであって、
前記放射線源によって生成される入力ビームを受光し、前記受光された入力ビームを走査し、前記皮膚上に治療スポットのパターンを形成する、一連の順次出力ビームを提供するように構成される、回転式走査要素を含む、自動走査システムを備え、
前記回転式走査要素は、前記走査要素の周囲に円周方向に配列される、複数の小型レンズを備え、各小型レンズは、前記出力ビームのうちの１つを提供するように構成され、
特定の小型レンズは、特定の軸の周囲で少なくとも１つの弧を回転させることによって画定されるトロイド形状を有する、
デバイス。
（項目５７）
前記特定の小型レンズのトロイド形状は、前記回転式走査要素の回転軸の周囲で少なくとも１つの弧を回転させることによって画定される、項目５６に記載のデバイス。
（項目５８）
前記特定の小型レンズのトロイド形状は、前記特定の小型レンズによって提供される出力ビームが、前記出力ビームが前記特定の小型レンズによって提供される持続時間の間、前記入力ビームに対して、実質的に一定の角度偏向を維持するように、実質的に一定の角度偏向に対して構成される、項目５６に記載のデバイス。
（項目５９）
皮膚科治療を提供するための内蔵型手持式デバイスであって、
１つ以上の放射線ビームを生成するように構成される、放射線源と、
前記１つ以上の放射線ビームを皮膚に送達し、皮膚科治療を提供するように構成される、光学系と
を備え、各放射線ビームは、第１の軸ビームプロファイルおよび直交する第２の軸ビームプロファイルを含み、
前記光学系は、
各放射線ビームの前記第２の軸ビームプロファイルより大きく、各放射線ビームの前記第１の軸ビームプロファイルに影響を及ぼすように構成される、第１の軸光学と、
各放射線ビームの前記第１の軸ビームプロファイルより大きく、各放射線ビームの前記第２の軸ビームプロファイルに影響を及ぼすように構成される、第２の軸光学と
を含む、デバイス。
（項目６０）
前記光学系は、正確に１つの第１の軸光学および正確に１つの第２の軸光学を含む、項目５９に記載のデバイス。
（項目６１）
前記光学系は、前記放射線の経路に沿って、２つの第２の軸光学の間に位置付けられる、第１の軸光学を含む、項目５９に記載のデバイス。
（項目６２）
皮膚科治療を提供するための内蔵型手持式デバイスであって、
１つ以上の非平行化ビームを生成するように構成される、放射線源と、
前記１つ以上のビームを皮膚に送達し、皮膚科治療を提供するための１つ以上の光学要素を含むように構成される、光学系と
を備え、前記光学系は、前記放射線源から前記皮膚への任意の点において、前記１つ以上のビームを平行化しない、デバイス。
（項目６３）
皮膚科治療を提供するための内蔵型手持式デバイスであって、
１つ以上のビームを生成するように構成された放射線源であって、各ビームは、第１の軸ビームプロファイルおよび直交する第２の軸ビームプロファイルを有する、放射線源と、
前記１つ以上のビームを皮膚に送達し、皮膚科治療を提供するための１つ以上の光学要素を含むように構成される、光学系と
を備え、前記光学系の各光学要素は、非対称であって、それによって、他方のビームプロファイルより有意に前記第１の軸ビームプロファイルまたは前記第２の軸ビームプロファイルのいずれかに影響を及ぼす、デバイス。
（項目６４）
前記放射線源は、速軸ビームプロファイルおよび直交する遅軸ビームプロファイルを有するビームを生成する、レーザダイオードを備える、項目６３に記載のデバイス。
（項目６５）
皮膚科治療を提供するための内蔵型手持式デバイスであって、
ユーザの手で持たれるように構成される、デバイス本体と、
前記デバイス本体内に支持される、放射線源と、
それぞれ、前記皮膚に対する前記デバイスの変位を検出するように構成される、１つ以上の変位センサと、
それぞれ、前記皮膚との接触を検出するように構成される、１つ以上の皮膚接触センサと、
制御システムであって、
前記１つ以上の変位センサおよび前記１つ以上の皮膚接触センサから信号を受光することと、
前記１つ以上の変位センサおよび前記１つ以上の皮膚接触センサからの信号に基づいて、前記デバイスの少なくとも１つの動作パラメータを制御することと
を行うように構成される、電子機器を含む、制御システムと
を備える、デバイス。
（項目６６）
前記制御システムはさらに、
前記１つ以上の変位センサおよび前記１つ以上の皮膚接触センサから受光された信号に基づいて、第１の条件が満たされる場合、前記放射線源が動作を始動することを有効にすることと、
前記放射線源の動作が始動された後、前記１つ以上の変位センサおよび前記１つ以上の皮膚接触センサから受光された信号に基づいて、第２の条件が満たされる場合、前記放射線源が動作を継続することを有効にすることと
を行うように構成され、前記第２の条件は、前記第１の条件より厳格ではない、項目６５に記載のデバイス。
（項目６７）
放射線を走査し、前記皮膚上に治療スポットのパターンを形成することによって、皮膚の表面を治療するためのデバイスであって、
前記放射線源によって生成される入力ビームを受光し、前記受光された入力ビームを走査し、前記皮膚上に治療スポットのパターンを形成する、出力ビームのアレイを提供するように構成される、回転式走査要素を含む、自動走査システム
を備え、
前記回転式走査要素は、前記走査要素の周囲に周方向に配列される、複数の小型レンズを備え、前記複数の小型レンズは、
第１の小型レンズであって、前記第１の小型レンズの最厚点によって画定された第１の小型レンズ頂点を有する、第１の小型レンズと、
第２の小型レンズであって、前記第２の小型レンズの最厚点によって画定された第２の小型レンズ頂点を有する、第２の小型レンズと
を含み、前記第１の小型レンズ頂点および前記第２の小型レンズ頂点は、前記回転式走査要素の回転軸から異なる距離に位置する、デバイス。
（項目６８）
レーザベースの皮膚科治療を提供するための内蔵型手持式デバイスであって、
ユーザの手で持たれるように構成される、デバイス本体と、
前記デバイス本体内に支持される、レーザビーム源と、
前記レーザビーム源によって生成される入力ビームを受光し、前記受光された入力ビームを走査し、皮膚への送達のための一連の自動走査出力ビームを提供し、前記皮膚上に治療スポットのパターンを形成するように構成される、自動走査システムと、
前記皮膚への前記自動走査出力ビームの送達のために配列され、治療セッション中、手動で前記皮膚を横断して移動されるように構成される、印加端と、
前記レーザビーム源および前記自動走査システムのうちの少なくとも１つを制御し、効果的皮膚科治療を提供するために十分な前記皮膚における送達放射線強度において、前記自動走査出力ビームを前記皮膚に送達するように構成される、電子機器と
を備え、前記デバイスの印加端から送達された前記自動走査出力ビームは、ＩＥＣ６０８２５−１に準拠するクラス１Ｍ以上の眼の安全分類を満たす、デバイス。
（項目６９）
前記自動走査システムは、前記入力ビームを受光し、自動走査出力ビームの順次アレイを提供するように構成された、複数の走査セクタを含む、回転式多重セクタ走査要素を含み、各出力ビームは、走査セクタのうちの１つに対応し、
前記回転式走査要素によって提供される出力ビームのアレイは、相互から角度オフセットされる、
項目６８に記載のデバイス。
（項目７０）
前記自動走査システムは、前記入力ビームを受光し、自動走査出力ビームの順次アレイを提供するように構成された、複数の走査セクタを含む、回転式多重セクタ走査要素を含み、各出力ビームは、走査セクタのうちの１つに対応し、
前記回転式走査要素によって提供される出力ビームのアレイは、相互から平行移動オフセットされる、
項目６８に記載のデバイス。
（項目７１）
前記皮膚表面で、各出力ビームは、少なくとも１つの方向において発散する、項目６８に記載のデバイス。
（項目７２）
前記皮膚表面で、各出力ビームは、少なくとも１つの方向において、角度少なくとも５０ｍｒａｄ発散する、項目７１に記載のデバイス。
（項目７３）
前記皮膚表面で、各出力ビームは、少なくとも１つの方向において、角度少なくとも７５ｍｒａｄ発散する、項目７１に記載のデバイス。
（項目７４）
前記自動走査システムの下流に光学をさらに備え、前記光学は、前記皮膚表面に、少なくとも１つの方向において、角度少なくとも５０ｍｒａｄの前記ビームの発散を提供する、項目６８に記載のデバイス。
（項目７５）
前記自動走査システムの下流に光学をさらに備え、前記光学は、前記皮膚表面に、少なくとも１つの方向において、角度少なくとも７５ｍｒａｄの前記ビームの発散を提供する、項目６８に記載のデバイス。
（項目７６）
前記自動走査システムの下流に光学を含まない、項目６８に記載のデバイス。
（項目７７）
レーザベースの皮膚科治療を提供するための内蔵型手持式デバイスであって、
ユーザの手で持たれるように構成される、デバイス本体と、
前記デバイス本体内に支持される、レーザビーム源と、
前記レーザビーム源によって生成される入力ビームを受光し、前記受光された入力ビームを走査し、皮膚への送達のための一連の自動走査出力ビームを提供し、前記皮膚上に治療スポットのパターンを形成するように構成される、自動走査システムと、
前記皮膚への前記自動走査出力ビームの送達のために配列され、治療セッション中、手動で前記皮膚を横断して移動されるように構成される、印加端と、
前記レーザビーム源および前記自動走査システムのうちの少なくとも１つを制御し、効果的皮膚科治療を提供するために十分な前記皮膚における送達放射線強度において、前記自動走査出力ビームを前記皮膚に送達するように構成される、電子機器と
を備え、前記デバイスの印加端から送達された前記自動走査出力ビームが、ＩＥＣ６０８２５−１に準拠するクラス１Ｍ以上の眼の安全分類を満たし、または関連最大許容露光量（ＭＰＥ）またはＩＥＣ６０８２５−１において定義される被曝放射限界（ＡＥＬ）を１００％未満超える、
デバイス。
（項目７８）
前記デバイスの印加端から送達される自動走査出力ビームは、ＩＥＣ６０８２５−１において定義される前記関連最大許容露光量（ＭＰＥ）または被曝放射限界（ＡＥＬ）を５０％未満超える、項目７７に記載のデバイス。
（項目７９）
前記自動走査システムの下流に光学を含まない、項目７７に記載のデバイス。
（項目８０）
皮膚科治療を提供するためのデバイスであって、
デバイス本体と、
皮膚への送達のための放射線を生成し、皮膚科治療を提供するように構成される、放射線源と、
角膜を検出するように構成される、眼センサであって、
光を標的表面に向かって放射するように構成される、眼センサ光源と、
前記標的表面から反射された光を検出し、反射信号を生成するように構成される、眼センサ検出器と、
前記検出器からの反射信号に基づいて、可能性として考えられる角膜の存在を識別するように構成される、電子機器と、
を備え、前記眼センサ光源は、前記標的表面に対して非法線入射角において、光を前記標的表面に提供するように配列される、眼センサと、
可能性として考えられる角膜の存在の識別に応答して、前記デバイスの少なくとも１つの動作パラメータを制御するように構成される、電子機器と
を備える、デバイス。
（項目８１）
前記眼センサ光源は、前記標的表面に対して入射角５〜４０度において、光を前記標的表面に提供するように配列される、項目８０に記載のデバイス。
（項目８２）
前記検出器からの信号に基づいて、可能性として考えられる角膜の存在を識別するように構成される、電子機器は、
前記検出器からの反射信号の振幅を閾値振幅と比較することと、
前記反射信号の振幅が、前記閾値振幅を下回る場合、可能性として考えられる角膜の存在を識別することと
を行うように構成される、電子機器を備える、項目８０に記載のデバイス。
（項目８３）
皮膚科治療を提供するためのデバイスであって、
デバイス本体と、
放射線を皮膚に送達し、皮膚科治療を提供するための放射線送達システムと、
状況特異的制御システムであって、
複数のセンサと、
電子機器と
を備え、前記電子機器は、
前記複数のセンサから信号を受光することと、
前記複数のセンサから受光された信号と第１の条件の比較に基づいて、前記放射線送達システムによる放射線送達を始動するかどうかを判定することと、
放射線が始動されると、前記複数のセンサから受光された信号と第２の条件の比較に基づいて、前記放射線送達システムによる放射線送達を継続するかどうかを判定することと
を行うようにプログラムされ、前記第２の条件は、前記第１の条件と異なる、
状況特異的制御システムと
を備える、デバイス。
（項目８４）
前記第２の条件は、前記第１の条件より厳格ではない、項目８３に記載のデバイス。
（項目８５）
前記第１の条件は、第１の数のセンサからの正の検出を要求し、
前記第２の条件は、前記第１の数より少ない数の第２の数のセンサからの正の検出を要求する、項目８３に記載のデバイス。
（項目８６）
皮膚科治療を提供するためのデバイスであって、
デバイス本体と、
放射線を皮膚に送達し、皮膚科治療を提供するための放射線送達システムと、
状況特異的制御システムであって、
皮膚に対する前記デバイスの変位を検出するように構成される、少なくとも１つの変位センサと、
前記皮膚との接触を検出するように構成される、少なくとも１つの皮膚接触センサと、
電子機器と
を備え、前記電子機器は、
前記少なくとも１つの変位センサおよび前記少なくとも１つの皮膚接触センサからの信号を受光することと、
第１の条件を前記少なくとも１つの変位センサおよび前記少なくとも１つの皮膚接触センサからの信号に適用することによって、前記放射線送達システムによる放射線送達を始動するかどうかを判定することと、
放射線が始動されると、第２の条件を前記少なくとも１つの変位センサおよび前記少なくとも１つの皮膚接触センサからの信号に適用することによって、放射線送達を継続するかどうかを判定することと
を行うようにプログラムされ、前記第２の条件は、前記第１の条件と異なる、
状況特異的制御システムと
を備える、デバイス。
（項目８７）
前記第２の条件は、前記第１の条件より厳格ではない、項目８６に記載のデバイス。
（項目８８）
皮膚科治療を提供するためのデバイスであって、
デバイス本体と、
皮膚への送達のためのレーザビームパルスを生成し、皮膚科治療を提供するためのレーザと、
状況特異的制御システムであって、
複数のセンサと、
電子機器と
を備え、前記電子機器は、
前記複数のセンサから信号を受光することと、
第１の条件を前記複数のセンサから受光された信号に適用することによって、初期レーザビームパルスを有効にするかどうかを判定することと、
前記初期レーザビームパルスを有効にした後、第２の条件を前記複数のセンサから受光された信号に適用することによって、付加的レーザビームパルスを有効にするかどうかを判定することと
を行うようにプログラムされ、前記第２の条件は、前記第１の条件と異なる、
状況特異的制御システムと
を備える、デバイス。
（項目８９）
前記第２の条件は、前記第１の条件より厳格ではない、項目８８に記載のデバイス。
（項目９０）
前記状況特異的制御システムの電子機器はさらに、
前記複数のセンサから受光された信号が、所定の連続時間周期の間、前記第２の条件を満たさないことを判定することと、
前記判定に応答して、前記第１の条件に基づいて、後続レーザビームパルスを有効にするかどうかを判定することと
を行うようにプログラムされる、項目８８に記載のデバイス。
（項目９１）
手持式皮膚科治療デバイスのための光エンジンであって、
放熱板と、
前記放熱板に搭載されたレーザパッケージであって、少なくとも１つの放射縁または表面を有するレーザチップを含む、レーザパッケージと、
前記放熱板と関連付けられた一対の側方構造と、
前記レーザチップの少なくとも１つの放射縁または表面の正面に位置付けられた伸長光学要素と
を備え、前記伸長光学要素は、前記放熱板と関連付けられた対の側方構造間に延在し、前記伸長光学要素の個別の端部において、前記側方構造のそれぞれに固着される、光エンジン。
（項目９２）
手持式皮膚科治療デバイスのための光エンジンであって、
放熱板と、
前記放熱板に搭載されたレーザパッケージであって、少なくとも１つの放射縁または表面を有するレーザチップを含む、レーザパッケージと、
前記放熱板に連結された印刷回路基板と、
前記印刷回路基板と前記レーザチップとの間に電気接続を提供する、少なくとも１つのコネクタと
を備え、前記少なくとも１つの少なくとも１つのコネクタは、前記レーザパッケージを前記放熱板に対して物理的に付勢する、光エンジン。
（項目９３）
手持式皮膚科治療デバイスのための光エンジンであって、
放熱板と、
前記放熱板に搭載される、レーザパッケージであって、
上部表面を有する、電気絶縁サブマウントと、
第１および第２の伝導性表面積を提供する電気材料で被覆される、前記サブマウント上部表面上の第１および第２の面積であって、前記サブマウント上部表面の非伝導性面積によって、相互から物理的に分離される、第１および第２の面積と、
前記サブマウントの第１の伝導性表面積に搭載されたレーザチップと、
前記レーザチップを前記サブマウントの前記第２の伝導性表面積に電気的に接続する、複数の導体と
を備える、レーザパッケージと
を備える、光エンジン。
（項目９４）
レーザベースの皮膚科治療デバイスのための制御システムであって、
選択された治療レベル設定を判定するようにプログラムされる、プロセッサであって、
前記プロセッサは、前記選択された治療レベル設定に対応する治療スポットあたりの標的エネルギーを判定するようにプログラムされる、
プロセッサと、
前記デバイスのレーザと関連付けられた温度を検出するように構成される、温度センサであって、
前記プロセッサは、（ａ）前記治療スポットあたりの判定された標的エネルギーと、（ｂ）前記検出された温度とに基づいて、パルス持続時間を計算するようにプログラムされ、
前記プロセッサは、走査システムモータのための標的モータスピードを計算し、前記計算されたパルス持続時間に基づいて、所定の弧経路長を提供するようにプログラムされ、
前記プロセッサは、前記計算された標的モータスピードに基づいて、前記走査システムモータに命令するようにプログラムされる、
温度センサと、
前記走査システムモータの実際のモータスピードを測定するように構成される、モータスピードセンサであって、
前記プロセッサは、前記実際のモータスピードを前記標的モータスピードと比較し、モータオフセットを判定するようにプログラムされる、前記プロセッサと、
前記プロセッサは、前記判定されたモータオフセットに基づいて、フィードバックアルゴリズムを適用するようにプログラムされ、
前記プロセッサは、前記計算された標的モータスピードに基づいて、パルストリガ遅延を計算するようにプログラムされ、
前記プロセッサは、前記計算されたパルス持続時間およびパルストリガ遅延に基づいて、前記レーザの少なくとも１つのパルスを始動するようにプログラムされる、
モータスピードセンサと
を備える、システム。